(57)【要約】【課題】汚染物等が他の空間に搬送されるのを防ぐことが可能な空気調和システムおよび全熱交換装置を提供する。【解決手段】圧縮機、室外熱交換器、膨張弁および室内熱交換器を冷媒配管で接続して冷媒を循環させる冷媒回路を備えた空気調和装置と、全熱交換装置とで構成され、複数の空間の空気を調和する空気調和システムであって、室内熱交換器を含む室内機と、全熱交換装置とが第１空間に設けられ、全熱交換装置は、第１空間の空気と、第１空間とは異なる１または複数の第２空間のそれぞれの空気との間で熱交換を行う複数の全熱交換素子と、全熱交換素子に接続され、第２空間に連通する給気パイプおよび排気パイプと、第１空間の空気を取り込む給気開口部と、第１空間に熱交換された空気を排出する排気開口部とを有し、給気パイプを介して第２空間のそれぞれ空気が取り込まれ、熱交換した第２空間のそれぞれの空気が排気パイプを介して第２空間に排出される。【選択図】図３
2018179454.tif 000002
【特許請求の範囲】
【請求項１】
圧縮機、室外熱交換器、膨張弁および室内熱交換器を冷媒配管で接続して冷媒を循環させる冷媒回路を備えた空気調和装置と、全熱交換装置とで構成され、複数の空間の空気を調和する空気調和システムであって、
少なくとも前記室内熱交換器を含む室内機と、前記全熱交換装置とが第１空間に設けられ、
前記全熱交換装置は、
前記第１空間の空気と、前記第１空間とは異なる１または複数の第２空間のそれぞれの空気との間で熱交換を行う複数の全熱交換素子と、
前記全熱交換素子に接続され、前記第２空間に連通する給気パイプおよび排気パイプと、
前記第１空間の空気を取り込む給気開口部と、
前記第１空間に熱交換された空気を排出する排気開口部と
を有し、
前記給気パイプを介して前記第２空間のそれぞれ空気が取り込まれ、熱交換した前記第２空間のそれぞれの空気が前記排気パイプを介して前記第２空間に排出される
ことを特徴とする空気調和システム。
【請求項２】
１または複数の前記第２空間に設けられ、該第２空間のそれぞれの室内温度を測定する１または複数の室内温度センサと、
前記空気調和装置および前記全熱交換装置を制御する集中制御装置と
をさらに備え、
前記空気調和装置は、
前記室内機に設けられ、前記第１空間の室内温度を測定する温度センサをさらに有し、
前記全熱交換装置は、
前記給気パイプのそれぞれの内部に設けられ、前記第２空間の空気を取り込む給気ファンをさらに有し、
前記集中制御装置は、
冷房運転の際に、前記第１空間の室内温度が設定温度よりも低く、前記第２空間の室内温度が前記第１空間の室内温度よりも高い場合に、前記第２空間に連通する前記給気パイプ内の前記給気ファンの運転を行う
ことを特徴とする請求項１に記載の空気調和システム。
【請求項３】
前記集中制御装置は、
暖房運転の際に、前記第１空間の室内温度が設定温度よりも高く、前記第２空間の室内温度が前記第１空間の室内温度よりも低い場合に、前記第２空間に連通する前記給気パイプ内の前記給気ファンの運転を行う
ことを特徴とする請求項２に記載の空気調和システム。
【請求項４】
設置された第１空間の空気と、該第１空間とは異なる第２空間のそれぞれの空気との間で熱交換を行う複数の熱交換素子と、
前記熱交換素子に接続され、前記第２空間に連通する給気パイプおよび排気パイプと、
前記第１空間の空気を取り込む給気開口部と、
前記第１空間に熱交換された空気を排出する排気開口部と
を有し、
前記給気パイプを介して取り込まれた前記第２空間の空気と、前記第１空間の空気との間で熱交換が行われ、熱交換が行われた前記第２空間の空気が前記排気パイプを介して前記第２空間に排出される
ことを特徴とする全熱交換装置。
【発明の詳細な説明】
【技術分野】
【０００１】
本発明は、複数の空間の空気調和を行う空気調和システムおよび全熱交換装置に関するものである。
【背景技術】
【０００２】
従来、複数の空調対象空間を冷暖房する方法として、例えば間接空調が用いられている。間接空調は、例えば、複数の空調対象空間のうち、ある空調対象空間を空気調和装置によって冷暖房する。そして、この空調対象空間と他の空調対象空間との間にダクトをつないで送風機を運転し、冷暖房された空調対象空間の空気を、ダクトを介して他の空調対象空間に搬送するものである。このような間接空調を行う空気調和システムは、例えば特許文献１に記載されている。
【先行技術文献】
【特許文献】
【０００３】
【特許文献１】特開昭６１−１２８０４８号公報
【発明の概要】
【発明が解決しようとする課題】
【０００４】
特許文献１に記載された空気調和システムでは、上述したように、他の空調対象空間の空気を空気調和装置が設置された空間に搬送し、冷暖房された空調対象空間の空気を他の空調対象空間に搬送することにより、他の空調対象空間を間接的に冷暖房する。そのため、冷暖房する部屋の汚染物が、空気と一緒にダクトを介して他の空調対象空間に搬送されてしまうことがあるという問題がある。また、その逆に、他の空調対象空間の汚染物が、空気調和装置が設置された空間に搬送されてしまうことがある。
【０００５】
本発明は、上記従来の技術における課題に鑑みてなされたものであって、汚染物等が他の空間に搬送されるのを防ぐことが可能な空気調和システムおよび全熱交換装置を提供することを目的とする。
【課題を解決するための手段】
【０００６】
本発明の空気調和システムは、圧縮機、室外熱交換器、膨張弁および室内熱交換器を冷媒配管で接続して冷媒を循環させる冷媒回路を備えた空気調和装置と、全熱交換装置とで構成され、複数の空間の空気を調和する空気調和システムであって、少なくとも前記室内熱交換器を含む室内機と、前記全熱交換装置とが第１空間に設けられ、前記全熱交換装置は、前記第１空間の空気と、前記第１空間とは異なる１または複数の第２空間のそれぞれの空気との間で熱交換を行う複数の全熱交換素子と、前記全熱交換素子に接続され、前記第２空間に連通する給気パイプおよび排気パイプと、前記第１空間の空気を取り込む給気開口部と、前記第１空間に熱交換された空気を排出する排気開口部とを有し、前記給気パイプを介して前記第２空間のそれぞれ空気が取り込まれ、熱交換した前記第２空間のそれぞれの空気が前記排気パイプを介して前記第２空間に排出されるものである。
【発明の効果】
【０００７】
以上のように本発明の空気調和システムおよび全熱交換装置によれば、それぞれの空間の空気を独立して循環させるため、汚染物等が他の空間に搬送されるのを防ぐことができる。
【図面の簡単な説明】
【０００８】
【図１】実施の形態１に係る空気調和システムの設置例を示す概略図である。
【図２】実施の形態１に係る空気調和システムの構成の一例を示すブロック図である。
【図３】実施の形態１に係る全熱交換装置の構造の一例を示す概略図である。
【図４】実施の形態１に係る空気調和装置の構成の一例を示す概略図である。
【図５】実施の形態１に係る空気調和システムによる第２空間に対する温度制御の処理の流れの一例を示すフローチャートである。
【図６】図１に示す第１空間と第２空間とにおける室内温度の変化について説明するための概略図である。
【発明を実施するための形態】
【０００９】
実施の形態１．
以下、本発明の実施の形態１に係る空気調和システムについて説明する。
本実施の形態１に係る空気調和システムは、複数の空間に対して調和空気を供給することができるものである。
【００１０】
［空気調和システムの設置例］
図１は、本実施の形態１に係る空気調和システム１００の設置例を示す概略図である。図１に示すように、空気調和システム１００は、全熱交換装置１および空気調和装置２を備えている。
【００１１】
空気調和システム１００は、例えばビル等の建物４に設置されている。建物４には、壁などによって区画された複数の空調対象空間５が形成されている。全熱交換装置１および空気調和装置２は、複数の空調対象空間５のうち、いずれか１つの空調対象空間に設置されている。
【００１２】
全熱交換装置１には、一対の給気パイプ１１および排気パイプ１２が複数接続されている。それぞれの一対の給気パイプ１１および排気パイプ１２は、全熱交換装置１が設置された空間とは異なる、他の空調対象空間のそれぞれに連通するように、全熱交換装置１に接続されている。なお、以下では、全熱交換装置１および空気調和装置２が設置された空調対象空間を、「第１空間５ａ」と適宜称して説明する。また、複数の空調対象空間のうち、第１空間５ａ以外の空調対象空間を「第２空間５ｂ」と適宜称して説明する。
【００１３】
空気調和装置２は、室外機２１および室内機２２を備えている。室外機２１および室内機２２は、冷媒配管２０で接続されている。これにより、冷媒配管２０内を冷媒が循環する冷媒回路が形成されている。室外機２１は、通常、建物４の外の空間である室外空間に設置されている。室外機２１は、冷熱または温熱を生成し、生成した冷熱または温熱を、冷媒配管２０を介して室内機２２に供給する。室内機２２は、第１空間５ａ内に設置されており、例えば、壁に掛けられた状態で設置されている。室内機２２は、室外機２１から供給された冷熱または温熱により、冷房用空気または暖房用空気を、第１空間５ａに供給する。
【００１４】
第２空間５ｂのそれぞれには、室内温度センサ６が設けられている。各室内温度センサ６は、給気パイプ１１に対応して設けられ、それぞれが設置された第２空間５ｂから給気パイプ１１に吸い込まれる空気の温度、すなわち各第２空間５ｂの室内温度を測定する。
【００１５】
［空気調和システムの構成］
図２は、本実施の形態１に係る空気調和システム１００の構成の一例を示すブロック図である。図２に示すように、空気調和システム１００は、全熱交換装置１、空気調和装置２、集中制御装置３、複数の通信装置７Ａおよび７Ｂ、ならびに表示操作装置８で構成されている。
【００１６】
全熱交換装置１は、通信装置７Ａを介して集中制御装置３に接続されている。空気調和装置２の室内機２２は、通信装置７Ｂを介して集中制御装置３に接続されている。集中制御装置３と通信装置７Ａおよび７Ｂとの接続、全熱交換装置１と通信装置７Ａとの接続、ならびに、室内機２２と通信装置７Ｂとの接続は、それぞれ、制御指令および機器情報等の各種情報のやりとりが可能であれば、有線でも無線でもよい。
【００１７】
表示操作装置８は、例えばリモートコントローラであり、この空気調和システム１００を操作するために用いられる各種のボタンおよびキー等の操作手段と、ＬＣＤ（Ｌｉｑｕｉｄ  Ｃｒｙｓｔａｌ  Ｄｉｓｐｌａｙ）等の表示手段とが設けられている。
【００１８】
表示操作装置８は、操作手段に対する利用者の操作に応じた操作信号を生成し、集中制御装置３に対して出力する。また、表示操作装置８は、操作手段に対する操作によって設定された内容を示す情報、現在の第１空間５ａおよび各第２空間５ｂの温度状態等を表示する。操作手段としては、例えば、タッチセンサを有するタッチパネルを用いることができ、この場合、表示手段としては、例えばＬＣＤ上にタッチパネルが積層されたタッチパネルディスプレイを用いることができる。また、表示手段および操作手段として、タッチパネルディスプレイを用いる場合には、例えば、各種ボタンまたはキーがソフトウェアボタンまたはソフトウェアキーとして表示手段に表示させるようにしてもよい。
【００１９】
集中制御装置３は、表示操作装置８に対する操作に基づき、通信装置７Ａおよび７Ｂを介してそれぞれ接続された全熱交換装置１および室内機２２を含む空気調和装置２を制御する。集中制御装置３は、例えばマイクロコンピュータ、ＣＰＵ（Ｃｅｎｔｒａｌ  Ｐｒｏｃｅｓｓｉｎｇ  Ｕｎｉｔ）などの演算装置上で実行されるソフトウェア、各種機能を実現する回路デバイスなどのハードウェア等で構成されている。
【００２０】
［全熱交換装置の構造］
図３は、図１の全熱交換装置１の構造の一例を示す概略図である。図３（ａ）は、全熱交換装置１の構造について説明するための斜視図であり、図３（ｂ）は、全熱交換装置１を正面から見た際の構造について説明するための図である。
【００２１】
図３に示すように、全熱交換装置１は、その本体内部に、複数の全熱交換素子１０、給気パイプ１１、排気パイプ１２、区画体１３、および第１ファン１４を備えている。また、全熱交換装置１の本体には、給気開口部１５および排気開口部１６が形成されている。
【００２２】
全熱交換素子１０は、第２空間５ｂに連通する給気パイプ１１および排気パイプ１２が接続されている。全熱交換素子１０は、第１空間５ａの空気と、給気パイプ１１を介して供給された第２空間５ｂの空気との間で熱交換を行い、熱交換した空気を排気パイプ１２を介して第２空間５ｂに排出する。
【００２３】
区画体１３は、全熱交換装置１内の空間を区画するために設けられている。区画体１３によって全熱交換装置１内の空間が区画されることにより、第１空間５ａの空気が流通する給気経路および排気経路が形成される。
【００２４】
給気開口部１５は、第１空間５ａの空気を取り込み、第１ファン１４が駆動することにより、取り込んだ空気を全熱交換素子１０に供給する。排気開口部１６は、全熱交換素子１０によって熱交換された空気を第１空間５ａに排出する。
【００２５】
各給気パイプ１１の内部には、第２ファン１７がそれぞれ設けられている。第２ファン１７は、集中制御装置３によって制御され、給気パイプ１１が連通する第２空間５ｂの空気を取り込む際に動作する。なお、第２ファン１７は、本発明における「給気ファン」に対応する。
【００２６】
ここで、上述したように、複数の全熱交換素子１０のそれぞれには、各第２空間５ｂに連通する給気パイプ１１および排気パイプ１２が接続されている。そのため、全熱交換素子１０のそれぞれに供給される各第２空間５ｂの空気は、全熱交換素子１０に供給される前の段階で、互いに混ざり合うことがない。また、各全熱交換素子１０から排出されるそれぞれの空気についても、全熱交換素子１０から排出された後の段階で、互いに混ざり合うことがない。すなわち、それぞれの第２空間５ｂから全熱交換装置１に供給され、全熱交換装置１から排出されるそれぞれの空気は、第２空間５ｂと第１空間５ａとの間で、独立して循環する。
【００２７】
［空気調和機の回路構成］
図４は、本実施の形態１に係る空気調和装置２の構成の一例を示す概略図である。図４に示すように、空気調和装置２は、室外機２１および室内機２２で構成されている。  室外機２１は、圧縮機５１、冷媒流路切替装置５２、膨張弁５３、室外熱交換器５４および室外送風機５５を備えている。室内機２２は、室内熱交換器６１、室内送風機６２および温度センサ６３を備えている。
【００２８】
空気調和装置２では、圧縮機５１、冷媒流路切替装置５２、室内熱交換器６１、膨張弁５３、および室外熱交換器５４が環状に冷媒配管２０で接続されることにより、冷媒回路が構成されている。そして、冷媒回路の内部を冷媒が圧縮および膨張を繰り返しながら循環することにより、ヒートポンプが形成される。なお、この例では、室外機２１に膨張弁５３が設けられているが、これに限られず、例えば、室内機２２に膨張弁５３を設けてもよい。
【００２９】
（室内機）
室内熱交換器６１は、ファン等の室内送風機６２によって供給される、第１空間５ａ内の空気（以下、「室内空気」と適宜称する）と冷媒との間で熱交換を行う。これにより、第１空間５ａに供給される調和空気である暖房用空気または冷房用空気が生成される。室内熱交換器６１は、冷房運転の際に、冷媒を蒸発させ、その際の気化熱により室内空気を冷却する蒸発器として機能する。また、室内熱交換器６１は、暖房運転の際に、冷媒の熱を室内空気に放熱して冷媒を凝縮させる凝縮器として機能する。
【００３０】
室内送風機６２は、室内熱交換器６１に供給する空気の流量を可変とすることができるファンである。このようなファンとしては、例えば、ＤＣ（Ｄｉｒｅｃｔ  Ｃｕｒｒｅｎｔ）ファンモータ等のモータによって駆動される遠心ファンまたは多翼ファン等を用いることができる。
【００３１】
温度センサ６３は、室内送風機６２の近傍に設けられている。温度センサ６３は、室内送風機６２によって取り込まれる空気の温度、すなわち第１空間５ａの室内温度を測定する。
【００３２】
（室外機）
圧縮機５１は、低温低圧の冷媒を吸入し、その冷媒を圧縮して高温高圧の状態にして吐出する。圧縮機５１としては、例えば、駆動周波数を任意に変化させることにより、単位時間あたりの冷媒送出量である容量を制御することが可能なインバータ圧縮機等を用いることができる。
【００３３】
冷媒流路切替装置５２は、例えば四方弁であり、冷媒の流れる方向を切り替えることにより、冷房運転および暖房運転の切り替えを行う。冷媒流路切替装置５２としては、上述した四方弁に限らず、例えば他の弁を組み合わせて使用してもよい。
【００３４】
膨張弁５３は、冷媒を減圧して膨張させる。膨張弁５３は、例えば、電子式膨張弁などの開度の制御が可能な弁で構成されている。
【００３５】
室外熱交換器５４は、ファン等の室外送風機５５によって供給される空気（以下、「室外空気」と適宜称する）と冷媒との間で熱交換を行う。具体的には、室外熱交換器５４は、冷房運転の際に凝縮器として機能する。また、室外熱交換器５４は、暖房運転の際に蒸発器として機能する。
【００３６】
室外送風機５５は、室外熱交換器５４に供給する空気の流量を可変とすることができるファンである。このようなファンとしては、例えば、ＤＣファンモータ等のモータによって駆動される遠心ファンまたは多翼ファン等を用いることができる。
【００３７】
［空気調和装置の動作］
次に、上記構成を有する空気調和装置２における冷媒の動作について説明する。図４に示す例において、冷媒流路切替装置５２の実線で示す状態が冷房運転モードの状態である。
【００３８】
（冷房運転モード）
冷房運転モードでは、冷媒流路切替装置５２が図４の実線で示す状態に切り替えられる。そして、低温低圧の冷媒が圧縮機５１によって圧縮され、高温高圧のガス冷媒となって吐出される。圧縮機５１から吐出された高温高圧のガス冷媒は、冷媒流路切替装置５２を介して室外熱交換器５４に流入する。
室外熱交換器５４に流入した高温高圧のガス冷媒は、室外送風機５５によって取り込まれた室外空気と熱交換して放熱しながら凝縮し、高圧の液冷媒となって室外熱交換器５４から流出する。室外熱交換器５４から流出した高圧の液冷媒は、膨張弁５３によって減圧されて低温低圧の気液二相冷媒となり、室内熱交換器６１に流入する。
室内熱交換器６１に流入した低温低圧の気液二相冷媒は、室内空気と熱交換して吸熱および蒸発し、低温低圧のガス冷媒となって室内熱交換器６１から流出する。室内熱交換器６１から流出した低温低圧のガス冷媒は、冷媒流路切替装置５２を通過して、圧縮機５１へ吸入される。
【００３９】
（暖房運転モード）
暖房運転モードでは、冷媒流路切替装置５２が図４の破線で示す状態に切り替えられる。そして、低温低圧の冷媒が圧縮機５１によって圧縮され、高温高圧のガス冷媒となって吐出される。圧縮機５１から吐出された高温高圧のガス冷媒は、冷媒流路切替装置５２を介して室内熱交換器６１に流入する。
【００４０】
室内熱交換器６１に流入した高温高圧のガス冷媒は、室内送風機６２によって取り込まれた室内空気と熱交換して放熱しながら凝縮し、高圧の液冷媒となって室内熱交換器６１から流出する。室内熱交換器６１から流出した高圧の液冷媒は、膨張弁５３によって減圧されて低温低圧の気液二相冷媒となり、室外熱交換器５４に流入する。
【００４１】
室外熱交換器５４に流入した低温低圧の気液二相冷媒は、室外空気と熱交換して吸熱および蒸発し、低温低圧のガス冷媒となって室外熱交換器５４から流出する。室外熱交換器５４から流出した低温低圧のガス冷媒は、冷媒流路切替装置５２を通過して、圧縮機５１へ吸入される。
【００４２】
（第２空間の温度制御）
次に、本実施の形態１に係る空気調和システム１００による第２空間５ｂの温度制御について説明する。本実施の形態１では、空気調和がなされた第１空間５ａの熱を利用して、空気調和装置２が設置されていない第２空間５ｂの温度を間接的に制御する。
【００４３】
図５は、本実施の形態１に係る空気調和システム１００による第２空間５ｂに対する温度制御の処理の流れの一例を示すフローチャートである。なお、以下では、冷房運転時の温度制御の処理を例にとって説明する。
【００４４】
集中制御装置３は、空気調和装置２に設けられた温度センサ６３で測定された第１空間５ａの室内温度Ｔａを収集する（ステップＳ１）。また、集中制御装置３は、各第２空間５ｂに設置されたそれぞれの室内温度センサ６で測定された第２空間５ｂの室内温度Ｔ２，ｎを収集する（ステップＳ２）。なお、室内温度Ｔ２，ｎは、例えば、複数の第２空間５ｂに対して１〜ｎまでの番号を付与した場合に、ｎ番目の第２空間５ｂの室内温度を示す。
【００４５】
次に、集中制御装置３は、第１空間５ａの室内温度Ｔａと設定温度Ｔｓｅｔとの温度差が予め設定された温度差Ａよりも低いか否かを判断する（ステップＳ３）。この処理では、空気調和装置２の冷房運転により、第１空間５ａの室内温度Ｔａが設定温度Ｔｓｅｔに達したか否かが判断される。このときの温度差Ａは、例えば０．５℃程度に設定される。
【００４６】
判断の結果、第１空間５ａの室内温度Ｔａと設定温度Ｔｓｅｔとの温度差が温度差Ａよりも低い場合（ステップＳ３；ＹＥＳ）には、処理がステップＳ４に移行する。一方、第１空間５ａの室内温度Ｔａと設定温度Ｔｓｅｔとの温度差が温度差Ａ以上である場合（ステップＳ３；ＮＯ）、集中制御装置３は、全熱交換装置１における各第２空間５ｂに連通する給気パイプ１１に設けられたすべての第２ファン１７をＯＦＦとし（ステップＳ７）、処理がステップＳ１に戻る。
【００４７】
次に、集中制御装置３は、第１空間５ａの室内温度Ｔａとｎ番目の第２空間５ｂの室内温度Ｔ２，ｎとの温度差が温度差Ｂよりも高いか否かを判断する（ステップＳ４）。この処理では、ｎ番目の第２空間５ｂの室内温度Ｔ２，ｎが第１空間５ａの室内温度Ｔａと同様の温度になったか否かが判断される。このときの温度差Ｂは、例えば０．５℃程度に設定される。
【００４８】
判断の結果、第１空間５ａの室内温度Ｔａとｎ番目の第２空間５ｂの室内温度Ｔ２，ｎとの温度差が温度差Ｂよりも高い場合（ステップＳ４；ＹＥＳ）、集中制御装置３は、ｎ番目の第２空間５ｂに連通する給気パイプ１１に設けられた第２ファン１７をＯＮとする（ステップＳ５）。そして、集中制御装置３は、第１空間５ａの室内空気とｎ番目の第２空間５ｂの室内空気との間で熱交換させる。
【００４９】
一方、第１空間５ａの室内温度Ｔａとｎ番目の第２空間５ｂの室内温度Ｔ２，ｎとの温度差が温度差Ｂ以下である場合（ステップＳ４；ＮＯ）、集中制御装置３は、ｎ番目の第２空間５ｂに連通する給気パイプ１１に設けられた第２ファン１７をＯＦＦとし（ステップＳ６）、処理がステップＳ１に戻る。なお、ステップＳ４の処理は、すべての第２空間５ｂに対して行う。
【００５０】
このように、本実施の形態１では、冷房運転の場合には、空気調和装置２が設置された第１空間５ａの温度が設定温度に達した場合に、第１空間５ａにおける室内空気の熱を用いて、第１空間５ａよりも温度の高い第２空間５ｂの室内空気を冷却する。これにより、各空間の室内温度を均一にし、温度バリアフリーを行うことができる。
【００５１】
なお、この例では、冷房運転時の温度制御について説明したが、これに限られず、暖房運転時の温度制御を行うこともできる。例えば、暖房運転時には、集中制御装置３は、第１空間５ａの室内温度Ｔａが設定温度Ｔｓｅｔよりも高く、かつ、第２空間５ｂの室内温度Ｔ２，ｎが第１空間５ａの室内温度Ｔａよりも低い場合に、当該第２空間５ｂに連通する給気パイプ１１内の第２ファン１７をＯＮとする。これにより、暖房運転時においても、各空間の室内温度を均一にし、温度バリアフリーを行うことができる。
【００５２】
（連動制御）
次に、空気調和システム１００における全熱交換装置１および空気調和装置２の連動制御について説明する。本実施の形態１では、第２空間５ｂの室内温度Ｔ２，ｎが予め設定された時刻に設定温度Ｔｓｅｔとなるように、全熱交換装置１および空気調和装置２を連動して動作させることができる。
【００５３】
図６は、図１に示す第１空間５ａと第２空間５ｂとにおける室内温度の変化について説明するための概略図である。図６（ａ）は、第２空間５ｂの温度変化の一例を示す図であり、図６（ｂ）は、第１空間５ａの温度変化の一例を示す図である。また、図６（ｃ）は、室内機２２のモード状態および全熱交換装置１における第２ファン１７の運転状態の一例を示す図である。
【００５４】
まず、表示操作装置８に対する操作により、第２空間５ｂの設定温度と、冷房の設定時刻が設定される。このとき、集中制御装置３は、第２空間５ｂの室内温度Ｔ２，ｎが予め設定された時刻に設定温度Ｔｓｅｔとなるようにするために、第１空間５ａに設置された空気調和装置２の運転開始時刻を予測する。また、集中制御装置３は、予測した運転開始時刻に基づき、空気調和装置２の予冷運転を開始する（図６（ｃ））。予冷運転の開始時刻は、例えば、予測した運転開始時刻の３０分前とする。
【００５５】
時刻ｔ１において、第１空間５ａの室内温度Ｔａが設定温度よりもＡ℃だけ高くなると、集中制御装置３は、全熱交換装置１の運転を開始する（図６（ｃ））。これにより、第２空間５ｂの室内空気は、第１空間５ａの室内空気と熱交換する。そして、第２空間５ｂの室内温度が下降し、時刻ｔ２において、第２空間５ｂの室内温度Ｔ２、ｎが設定温度Ｔｓｅｔに到達する。ここで、集中制御装置３は、予め第２空間５ｂの室内温度Ｔ２，ｎに対して温度の許容範囲を設定しておく。そして、時刻ｔ３で、第２空間５ｂの室内温度Ｔ２，ｎが許容範囲を超えると、集中制御装置３は、室内機２２の運転および全熱交換装置１の運転を停止させる（図６（ｃ））。
【００５６】
このように、全熱交換装置１および空気調和装置２を連動させて制御することにより、第２空間５ｂの室内温度が設定時刻に設定温度となるように制御することができる。
【００５７】
以上のように、本実施の形態１に係る空気調和システム１００は、圧縮機５１、室外熱交換器５４、膨張弁５３および室内熱交換器６１を冷媒配管２０で接続して冷媒を循環させる冷媒回路を備えた空気調和装置２と、全熱交換装置１とで構成され、複数の空間の空気を調和するものであり、少なくとも室内熱交換器６１を含む室内機２２と、全熱交換装置１とが第１空間５ａに設けられている。全熱交換装置１は、第１空間５ａの空気と、第１空間５ａとは異なる１または複数の第２空間５ｂのそれぞれの空気との間で熱交換を行う複数の全熱交換素子１０と、全熱交換素子１０に接続され、第２空間５ｂに連通する給気パイプ１１および排気パイプ１２と、第１空間５ａの空気を取り込む給気開口部１５と、第１空間５ａに熱交換された空気を排出する排気開口部１６とを有し、給気パイプ１１を介して第２空間５ｂのそれぞれ空気が取り込まれ、熱交換した第２空間５ｂのそれぞれの空気が排気パイプ１２を介して第２空間５ｂに排出される。
【００５８】
このように、複数の全熱交換素子１０のそれぞれに対して、複数の第２空間５ｂに連通する給気パイプ１１および排気パイプ１２を接続することにより、各第２空間５ｂの空気が互いに混ざることなく独立して循環できる。そのため、汚染物等が他の空間に搬送されるのを防ぐことができる。また、第１空間５ａの熱を利用して第２空間５ｂの空気を調和させるため、各空間の温度を均一にして、温度バリアフリーを行うことができる。
【符号の説明】
【００５９】
１  全熱交換装置、２  空気調和装置、３  集中制御装置、４  建物、５  空調対象空間、５ａ  第１空間、５ｂ  第２空間、６  室内温度センサ、７Ａ、７Ｂ  通信装置、８  表示操作装置、１０  全熱交換素子、１１  給気パイプ、１２  排気パイプ、１３  区画体、１４  第１ファン、１５  給気開口部、１６  排気開口部、１７  第２ファン、２０  冷媒配管、２１  室外機、２２  室内機、５１  圧縮機、５２  冷媒流路切替装置、５３  膨張弁、５４  室外熱交換器、５５  室外送風機、６１  室内熱交換器、６２  室内送風機、６３  温度センサ、１００  空気調和システム。
【図１】
2018179454.tif 000003
【図２】
2018179454.tif 000004
【図３】
2018179454.tif 000005
【図４】
2018179454.tif 000006
【図５】
2018179454.tif 000007
【図６】
2018179454.tif 000008